(57)【要約】【課題】冊子隠蔽綴じや、特定頁袋綴じを処理可能な用紙後処理方法、用紙後処理装置及び画像形成システムを提供する。【解決手段】画像形成された用紙Ｓを用紙載置台１６１上に積載して整列し、中折り処理装置ＦＳ１により用紙Ｓの搬送方向中央に折り目ｂを付けて中折り処理した後、折り目ｂとは反対側の用紙端部の近傍に袋綴じ処理装置ＦＳ２により綴じ針ＳＰを打ち、用紙Ｓを袋綴じ処理する用紙後処理方法。【選択図】        図２
2004284750.tif 000002
【特許請求の範囲】
【請求項１】
画像形成された用紙を用紙載置台上に積載して整列し、折り処理装置により前記用紙の搬送方向中央に折り目を付けて中折り処理した後、前記折り目とは反対側の用紙端縁の近傍に袋綴じ処理装置により綴じ針を打ち、前記用紙を袋綴じ処理することを特徴とする用紙後処理方法。
【請求項２】
前記中折り処理に先だって、用紙搬送方向の中央にミシン目を形成処理することを特徴とする請求項１に記載の用紙後処理方法。
【請求項３】
前記折り処理装置により中折り処理され、前記袋綴じ処理装置により袋綴じ処理された用紙束の袋綴じ側の端縁を断裁処理装置によって断裁して揃えることを特徴とする請求項１に記載の用紙後処理方法。
【請求項４】
画像形成装置から排出された用紙を用紙載置台上に搬送する搬送手段と、
前記用紙の搬送方向中央に折り目を付けて中折り処理する折り処理装置と、
前記折り目とは反対側の用紙端縁の近傍に綴じ針を打ち前記用紙を袋綴じ処理する袋綴じ処理装置と、
を有することを特徴とする用紙後処理装置。
【請求項５】
前記中折り処理に先だって用紙搬送方向の中央にミシン目を形成するミシン目形成手段を有することを特徴とする請求項４に記載の用紙後処理装置。
【請求項６】
前記袋綴じ処理装置は、前記中折り処理した用紙と、中折り処理されない用紙とを袋綴じ処理することを特徴とする請求項４に記載の用紙後処理装置。
【請求項７】
前記折り処理装置によって中折り処理され、前記袋綴じ処理装置によって袋綴じ処理された用紙束の袋綴じ側を揃える断裁処理装置を有することを特徴とする請求項４又は５に記載の用紙後処理装置。
【請求項８】
画像書き込み手段、画像形成手段、用紙搬送手段、制御手段から成る画像形成装置と、
請求項４〜７の何れか１項に記載の折り処理装置、袋綴じ処理装置、及び袋綴じ処理された用紙束の袋綴じ側を揃える断裁処理装置から成る用紙後処理装置と、を備えて成ることを特徴とする画像形成システム。
【請求項９】
前記画像形成装置は、前記用紙後処理装置において袋綴じされた用紙が開かれた場合を想定して、用紙に頁印刷を行うことを特徴とする請求項８に記載の画像形成システム。
【発明の詳細な説明】
【０００１】
【発明の属する技術分野】
本発明は、電子写真複写機、プリンタ、ファクシミリ、及びこれらの諸機能を有する複合機等の画像形成装置から排出される用紙を受容し、用紙収納部に積載して折り処理、袋綴じ処理等の後処理を実施して排出する用紙後処理方法、用紙後処理装置、及び用紙後処理装置を備えた画像形成システムに関するものである。
【０００２】
【従来の技術】
複写機、プリンタ、ファクシミリ、これらの複合機等の画像形成装置により画像が記録された多数枚の用紙を、プリント部数毎に丁合して、綴じ手段（ステイプラ）により綴じ合わせて製本する用紙後処理装置が提供されている。この用紙後処理装置は、画像形成装置のプリント機能と接続されて駆動される。
【０００３】
特許文献１に記載の画像形成装置は、二つの画像をその合計サイズよりも大きいサイズのシートの片面上に形成して、袋綴じや週刊誌折りする場合、折り目位置を、二つの画像の境界位置に設定するものである。
【０００４】
特許文献２に記載の画像形成装置は、中折りと袋綴じとが実施される書類において、右綴じ、左綴じを任意に行う事ができるものである。
【０００５】
特許文献３に記載の画像形成システムは、折り処理部にて画像形成面を内側にして二つ折りされ、さらに綴じ処理部にて用紙の折り目と反対側の側端面を袋綴じするものである。
【０００６】
特許文献４に記載の画像形成システムは、用紙の画像面を内側に二つ折りにする内折りモードと、画像面を外側に二つ折りにする外折りモードとを選択し、更に、本来の綴じ位置と反対側に隠蔽のための袋綴じ処理を行うものである。
【０００７】
特許文献５に記載の簡易封筒作成装置は、二つ折り処理された表紙記録紙内に、表紙記録紙の約半分のサイズの画像形成済みの通常記録紙を自動的に挿入して、簡易封筒に作成するものである。
【０００８】
特許文献６に記載の原稿仕分け装置は、用紙の二つ折りと袋綴じ、表紙の二つ折りと袋綴じという用紙後処理を可能にして、且つ、原稿戻しと並び替えを容易にするものである。
【０００９】
【特許文献１】
特開２００１−１５７０３５号公報（特許請求の範囲）
【００１０】
【特許文献２】
特開平１０−１８６７５４号公報（特許請求の範囲）
【００１１】
【特許文献３】
特開平１０−１９４５７４号公報（特許請求の範囲）
【００１２】
【特許文献４】
特開２００１−５８７５８号公報（特許請求の範囲）
【００１３】
【特許文献５】
特開平６−１２７８０４号公報（特許請求の範囲）
【００１４】
【特許文献６】
特開平１０−１９４６０８号公報（特許請求の範囲）
【００１５】
【発明が解決しようとする課題】
上記の後処理装置では、片面印刷用紙の画像面を外側にして袋綴じを行うもの、画像面を内側にして画像隠蔽綴じを行うものがあった。また、１ジョブ内の各用紙について外折り袋綴じモードと内折り隠蔽綴じモードとの選択ができ、特定の頁を隠蔽することが可能なものがあった。
【００１６】
本発明の用紙後処理装置、用紙後処理方法、及び画像形成システムは、以下の課題を解決することを目的とする。
【００１７】
（１）  冊子全体に形成された画像を他人に見られないようにする「冊子隠蔽綴じ」や、特定頁の画像内容を隠蔽して他人に見られないように画像面を内側にして折って袋綴じする「特定頁袋綴じ」を、両面印刷用紙で実行可能な新たなプリントモード、用紙折り機能、及び袋綴じ機能を設定可能にする用紙後処理装置を提供する。
【００１８】
（２）  袋綴じされて画像面が隠蔽された冊子又は用紙を、必要に応じて容易に切開して、内側の画像面を見開き可能にする。
【００１９】
（３）  冊子全体を袋綴じした場合に、袋綴じ処理側の冊子側端部の用紙不揃いを解消する。特に、多数枚から成る冊子の側端部に発生する著しい不揃いを解消する。
【００２０】
【課題を解決するための手段】
上記課題は、本発明の用紙後処理方法、用紙後処理装置、及び画像形成システムにより解決される。
【００２１】
（１）  画像形成された用紙を用紙載置台上に積載して整列し、折り処理装置により前記用紙の搬送方向中央に折り目を付けて中折り処理した後、前記折り目とは反対側の用紙端縁の近傍に袋綴じ処理装置により綴じ針を打ち、前記用紙を袋綴じ処理することを特徴とする用紙後処理方法。
【００２２】
（２）  画像形成装置から排出された用紙を用紙載置台上に搬送する搬送手段と、前記用紙の搬送方向中央に折り目を付けて中折り処理する折り処理装置と、前記折り目とは反対側の用紙端縁の近傍に綴じ針を打ち前記用紙を袋綴じ処理する袋綴じ処理装置と、を有することを特徴とする用紙後処理装置。
【００２３】
（３）  画像書き込み手段、画像形成手段、用紙搬送手段、制御手段から成る画像形成装置と、前記（２）に記載の折り処理装置、袋綴じ処理装置、断裁処理装置から成る用紙後処理装置と、を備えて成ることを特徴とする画像形成システム。
【００２４】
【発明の実施の形態】
次に、本発明の用紙後処理方法、用紙後処理装置、及び用紙後処理装置を備えた画像形成システムを図面に基づいて説明する。
【００２５】
［画像形成システム］
図１は画像形成装置Ａ、画像読取装置Ｂ、及び中折り処理装置ＦＳ１と袋綴じ処理装置ＦＳ２と断裁処理装置ＦＳ３とから成る用紙後処理装置ＦＳから構成された画像形成システムの全体構成図である。
【００２６】
〈画像形成装置〉
画像形成装置Ａは、回転する像担持体１の周囲に、帯電手段２、像露光手段（書き込み手段）３、現像手段４、転写手段５Ａ、除電手段５Ｂ、分離爪５Ｃ、及びクリーニング手段６を配置した画像形成部を有し、帯電手段２によって像担持体１の表面に一様帯電を行った後に、像露光手段３のレーザビームによって原稿から読み取られた画像データに基づく露光走査を行って潜像を形成し、該潜像を現像手段４により反転現像して像担持体１の表面にトナー像を形成する。
【００２７】
一方、用紙収納手段７Ａに収容された用紙Ｓは、給紙手段７Ｂにより給送され、転写位置へと送られる。転写位置において転写手段５Ａにより前記トナー像が用紙Ｓ上に転写される。その後に、用紙Ｓは除電手段５Ｂにより裏面の電荷が消去され、分離爪５Ｃにより像担持体１から分離され、搬送手段７Ｃにより搬送され、引き続き定着手段８により加熱定着され、排紙手段７Ｄから排出される。
【００２８】
用紙Ｓの両面に画像形成を行う場合には、定着手段８により加熱定着された用紙Ｓを、搬送路切り替え板７Ｅにより通常の排紙通路から分岐し、反転搬送７Ｆにおいてスイッチバックして表裏反転した後、排紙手段７Ｄにより装置外に排出される。排紙部７Ｄから排出された用紙Ｓは、中折り処理装置ＦＳ１に送り込まれる。
【００２９】
一方、像担持体１の画像処理後の表面は、分離爪５Ｃの下流においてクリーニング手段６により表面に残留している現像剤が除去され、次の画像形成に備える。
【００３０】
画像形成装置Ａの上部前面側には、画像形成モード、用紙後処理モードを選択して設定する操作手段９が配置されている。
【００３１】
画像形成装置Ａの上部には、原稿移動型読み取り方式の自動原稿送り装置を備えた画像読取装置Ｂが設置されている。
【００３２】
［中折り処理装置ＦＳ１］
図２は、中折り処理装置ＦＳ１、袋綴じ処理装置ＦＳ２、断裁処理装置ＦＳ３から成る用紙後処理装置ＦＳの構成図である。
【００３３】
中折り処理装置ＦＳ１には、図示の上段に第１給紙手段１１Ａと第２給紙手段１１Ｂと固定排紙台１２が配置され、中段に穿孔手段１３とシフト手段１４と排紙手段１５がほぼ水平をなす同一平面上に直列配置され、下段に用紙収納手段１６、中綴じ平綴じ兼用の第１綴じ手段１７、ミシン目形成手段１８、中折り手段１９が傾斜面をなす平面上に直列配置されている。
【００３４】
また、中折り処理装置ＦＳ１の図示左側面には、シフト処理済みの用紙Ｓ及び平綴じ処理済みの用紙束を積載する昇降排紙台１５１が配置されている。
【００３５】
中折り処理装置ＦＳ１の受入部には、画像形成装置Ａから画像形成処理された用紙Ｓと、第１給紙手段１１Ａから供給される用紙束間を仕切る合紙Ｋ１と、第２給紙手段１１Ｂから供給される表紙用紙Ｋ２とが導入される。
【００３６】
〈中綴じ処理と中折り処理〉
操作手段９において、中綴じ処理、中折り処理が設定されると、画像形成装置Ａ内で画像形成処理されて、中折り処理装置ＦＳ１に送り込まれた画像形成済みの用紙Ｓは、搬送手段により用紙収納手段１６の用紙載置台１６１上に搬送され、突き当て部材１６２及び図示しない幅整合手段によって所定位置に整列される。
【００３７】
最終の用紙Ｓが用紙載置台１６１上に位置決め載置された後、全頁から成る用紙束Ｓａに第１綴じ手段１７により中綴じ処理を行う。この中綴じ処理により、用紙束Ｓａの搬送方向の中央部に綴じ針が打ち込まれる。
【００３８】
中綴じ処理後、突き当て部材１６２が用紙束Ｓａの搬送下流方向に直線移動する。移動可能な突き当て部材１６２は、上方位置において中綴じ処理時の用紙Ｓの停止位置を規制するとともに、下方位置において中折り処理時の用紙束Ｓａの停止位置を規制する。
【００３９】
中綴じ処理された用紙束Ｓａは、約７０度の急傾斜を成す搬送路を下降して、突き当て部材１６２に用紙束Ｓａの搬送方向の端部が当接して、所定位置に停止する。突き当て部材１６２は用紙サイズの設定と駆動手段により所定位置に移動可能である。
【００４０】
中折り手段１９は、折り板１９１、一対の折りローラ１９２，１９３、搬送ベルト１９４等から構成されている。
【００４１】
中折り処理開始信号により、折り板１９１が斜め下方に直進する。折り板１９１の先端部は、用紙束Ｓａの搬送方向中央部を押圧し、用紙束Ｓａを介して折りローラ１９２，１９３の挟持部を押し広げて離間させる。
【００４２】
折り板１９１の先端部が折りローラ１９２，１９３の挟持部を通過した後、折り板１９１が後退すると、用紙束Ｓａの中央部は折りローラ１９２，１９３によって挟圧されて中折りされ、折り目ｂが形成される。この折り目ｂは、中綴じ処理による綴じ針ＳＰの打ち込み位置と同一線上に形成される。
【００４３】
中綴じ処理と中折り処理とが施された用紙束Ｓａは、搬送ベルト１９４により搬送されて袋綴じ処理装置ＦＳ２に送られる。
【００４４】
〈ミシン目形成処理と中折り処理〉
操作手段９において、ミシン目形成処理と袋綴じ処理が設定されると、画像形成装置Ａ内で画像形成処理されて、中折り処理装置ＦＳ１に送り込まれた画像形成済みの用紙Ｓは、搬送手段により搬送されて、用紙収納手段１６の用紙載置台１６１上に搬送され、突き当て部材１６２及び図示しない幅整合手段によって所定位置に整列される。突き当て部材１６２は、用紙Ｓの中央部が中綴じ位置の搬送方向下流側で、中折り位置の上流側の所定中間位置になるように設定される。
【００４５】
用紙載置台１６１上の所定中間位置に載置された後、用紙Ｓの中央部に、ミシン目形成手段１８が前進してミシン目ａを形成処理する。このミシン目形成は中折り処理に先だって行われる。
【００４６】
図３は、ミシン目形成手段１８と、ミシン目ａが形成された用紙Ｓの斜視図である。図４は、冊子全体に形成された画像を他人に見られないようにする「冊子隠蔽綴じ」の処理がされる用紙Ｓの工程を示す斜視図である。図４（ａ）は、３枚の用紙Ｓにミシン目ａを形成した状態を示す斜視図である。
【００４７】
ミシン目形成後に、突き当て部材１６２が用紙載置台１６１上を下降して、前記中折り処理位置に停止する。ミシン目ａが形成された用紙Ｓも用紙載置台１６１上を下降して、その先端部が突き当て部材１６２によって保持されて位置決めされる。
【００４８】
ミシン目が形成された用紙Ｓは、中折り手段１９において、折り板１９１と一対の折りローラ１９２，１９３とによって折り目ｂが形成される。
【００４９】
図４（ｂ）は、３枚の用紙Ｓにミシン目ａを形成した後、中折り処理をして折り目ｂを形成した状態を示す斜視図である。
【００５０】
ミシン目形成処理と中折り処理とが施された用紙Ｓは、搬送ベルト１９４により搬送されて袋綴じ処理装置ＦＳ２に排出される。
【００５１】
［袋綴じ処理装置ＦＳ２］
袋綴じ処理装置ＦＳ２に搬入された用紙Ｓは、回動する搬送ベルト２１によって搬送され、用紙Ｓの先端部の中折り部が突き当て部材２２に当接して進行が停止される。所定位置に停止した状態の用紙Ｓの折り目ｂとは反対側の用紙後端部近傍の袋綴じ用の第２綴じ手段２３により綴じ針ＳＰを打ち用紙Ｓを袋綴じ処理する。
【００５２】
図４（ｃ）は、中折り処理された３枚の用紙Ｓに綴じ針ＳＰを打針した状態を示す斜視図、図４（ｄ）は断面図である。
【００５３】
綴じ処理後、突き当て部材２２が待避して搬送路を開放し、回動を再開した搬送ベルト２１によって用紙Ｓは搬送され、断裁処理装置ＦＳ３に排出される。
【００５４】
［断裁処理装置ＦＳ３］
断裁処理装置ＦＳ３は、第１搬送手段３１、断裁手段３２、第２搬送手段３３、冊子収納手段３４から構成されている。
【００５５】
〈第１搬送手段３１〉
中折り処理装置ＦＳ１において中綴じ処理と中折り処理とを実施された用紙束Ｓａは、袋綴じ処理装置ＦＳ２を通過して、断裁処理装置ＦＳ３の第１搬送手段３１に搬入される。
【００５６】
中折り処理装置ＦＳ１においてミシン目が形成され中折り処理された用紙束Ｓａは、袋綴じ処理装置ＦＳ２において袋綴じ処理された後、断裁処理装置ＦＳ３の第１搬送手段３１に搬入される。
【００５７】
第１搬送手段３１において搬入される用紙束Ｓａは、駆動回転する搬送ローラ３１１，３１２によって挟持されて搬送され、断裁手段３２に送り込まれる。
【００５８】
〈断裁手段３２〉
断裁手段３２は、可動下板３２１、押圧ローラ３２２、断裁上刃３２３、昇降駆動手段３２４、断裁下刃３２５、屑箱３２６から構成されている。
【００５９】
断裁処理装置ＦＳ３に搬入された用紙束Ｓａの先端部は、第１搬送手段３１、断裁手段３２を通過して、第２搬送手段３３の所定位置に停止される。
【００６０】
この停止状態の用紙束Ｓａの後端部が、可動下板３２１と下降する押圧ローラ３２２とに挟持された状態で、断裁上刃３２３が昇降駆動手段３２４によって下降して、断裁上刃３２３と断裁下刃３２５とにより、用紙束Ｓａの小口ｃが断裁されて、用紙束Ｓａが仕上げられる。小口ｃで断裁された断裁屑ｄは、下方の屑箱３２６に収容される。
【００６１】
図４（ｅ）は断裁処理後の用紙束Ｓａの断面図である。
〈第２搬送手段３３〉
断裁手段３２により小口ｃで断裁されて仕上げられた用紙束Ｓａは、第２搬送手段３３において、駆動回転する上ローラ３３１により導入され、回動する搬送ベルト３３２と、従動回転する押圧ローラ３３３とにより挟持されて搬送される。搬送ベルト３３２により水平方向に搬送される用紙束Ｓａは、駆動回転する大径ローラ３３４、ガイド板３３５、ピンチローラ３３６に案内されて、垂直上方に搬送され、用紙束Ｓａの折り目ｂを上側に、小口ｃを下側にして、冊子収納手段３４の冊子積載台３４１上に縦列に収容される。
【００６２】
［用紙束隠蔽袋綴じモードの制御］
図５は画像形成システムのブロック図である。
【００６３】
図に示すように画像形成装置Ａは、画像形成装置制御手段１００、シリアル通信手段１０１、操作手段９、画像形成手段１０２、用紙収納手段７Ａ、給紙手段７Ｂ、搬送手段７Ｃ、画面データ記憶手段１０３等により構成され、各部はバスにより接続されている。
【００６４】
画像形成装置制御手段１００は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成される。制御手段１００のＣＰＵは入力手段９の操作により、ＲＯＭに記憶されているシステムプログラムや条件処理プログラムを読み出してＲＡＭ内に展開し、展開されたプログラムに従って、画像形成装置Ａ各部の動作を集中制御する。
【００６５】
画像形成装置制御手段１００は、後処理装置制御手段１１０との間で、後述するコピー動作時データ送受信シーケンスに従い、画像形成装置Ａの動作に基づいて用紙後処理装置ＦＳへコピースタート信号、出力モード信号、紙サイズ信号、紙排出信号等の制御信号を送信し、用紙後処理装置ＦＳから排紙カウント、各種のアラーム情報（扉の開閉・綴じ針・紙のこり）、ジャム検知通知を受け取る。画像形成装置Ａは受け取った情報に基づいて操作手段９の表示手段９Ａに後処理装置の情報を表示する。
【００６６】
シリアル通信手段１０１はシリアル通信インターフェース（Ｉ／Ｆ）等により構成され、画像形成装置Ａと用紙後処理装置ＦＳとの間でシリアル通信による制御信号の受け渡しを行っている。
【００６７】
操作手段９は表示手段９Ａおよび入力手段９Ｂを備えて構成されている。表示手段９ＡはＬＣＤ（Ｌｉｑｕｉｄ  Ｃｒｙｓｔａｌ  Ｄｉｓｐｌａｙ）により構成され、画像形成装置制御手段１００から入力される表示信号の指示に従って表示画面上に各種操作釦や装置の状態表示、各機能の動作状況等の表示を行う。入力手段９ＢはＬＣＤの表示画面上に透明電極を格子状に配置した感圧式（抵抗膜圧式）のタッチパネルにより構成され、手指やタッチペン等で押下されたＸＹ座標を電圧値で検出し、検出された位置信号を操作信号として画像形成装置制御手段１００に出力する。また入力手段９Ｂは数字ボタン、スタートボタン等の各種操作ボタンを備え、ボタン操作による操作信号を画像形成装置制御手段１００に出力する。
【００６８】
画像読取手段Ｂは原稿を置くコンタクトガラスの下部にスキャナを備えて構成され、原稿の画像を読み取る。スキャナは光源、ＣＣＤ（Ｃｈａｒｇｅ  Ｃｏｕｐｌｅｄ  Ｄｅｖｉｃｅ）等により構成され、光源から原稿へ照射走査した光の反射光を結像して光電変換することにより原稿の画像を読み取り、読み取った画像を画像形成手段１０２に出力する。ここで画像は図形や写真等のイメージデータに限らず、文字や記号等のテキストデータも含む。
【００６９】
画像形成手段１０２は像担持体１、帯電手段２、現像手段４、定着手段８などを備えて構成され、画像形成装置制御手段１００からの印刷指示に従って、入力手段９Ａから入力されたサイズ用紙が搬送手段７Ｃにより搬送されると、像担持体１の表面に画像読取装置Ｂから入力された画像の静電潜像を形成する。さらに画像形成手段１０２は、像担持体１の表面の静電潜像を含む領域にトナーを付着させ、用紙Ｓにトナーを定着させた後、用紙後処理装置ＦＳへ排出する。
【００７０】
画像を転写するための用紙Ｓを収納する用紙収納手段７Ａには、用紙Ｓの収納の有無を検知する用紙有無検知手段１０４、用紙収納手段７Ａに収納されている用紙Ｓのサイズを検知する用紙サイズ検知手段１０５を備え、検知信号を画像形成装置制御手段１００に出力する。
【００７１】
画像読取装置Ｂの給紙手段は画像形成装置制御手段１００からの指示に従って、原稿セット位置に積載された原稿をコンタクトガラス上に自動給紙する。
【００７２】
画像形成装置Ａの搬送手段７Ｃは、画像形成装置制御手段１００からの指示に従って、用紙収納手段７Ａに収納されている用紙Ｓを画像形成手段１０２等へ搬送する。
【００７３】
画像データ記憶手段１０３は画像読取手段Ｂによって読みとられた画像データを記憶するメモリで、半導体メモリ（ＤＲＡＭ）や磁気ディスク（ＨＤＤ）によって記憶される。
【００７４】
次に、用紙後処理装置ＦＳの内部構成について説明する。用紙後処理装置ＦＳは、後処理装置制御手段１１０、シリアル通信手段１１１、検知手段１１２、調整値記憶手段１１３、第１綴じ手段１７、第２綴じ手段２３、中折り部搬送手段１０、袋綴じ部搬送手段２０、断裁部搬送手段３０、等により構成され、各部はバスにより接続されている。
【００７５】
後処理装置制御手段１１０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成される。後処理装置制御手段１１０のＣＰＵはＲＯＭに記憶されているシステムプログラムや条件処理プログラムを読み出してＲＡＭ内に展開し、展開されたプログラムに従って、用紙後処理装置ＦＳの各部の動作を集中制御する。
【００７６】
この後処理装置制御手段１１０は画像形成装置Ａの制御手段１００との間で、シリアル通信手段１１１により画像形成装置Ａと用紙後処理装置ＦＳとの間でシリアル通信による制御信号の受け渡しを行っている。
【００７７】
図６は用紙束隠蔽袋綴じモードの制御を示すフローチャートである。以下、用紙束隠蔽袋綴じモードの工程を説明する。
【００７８】
（１）  操作手段９において所望の条件を選択設定し、画像読取装置Ｂにより原稿を走査して画像を読み取らせる（ステップ１）。
【００７９】
（２）  原稿の全頁の走査が完了したら（ステップ２）、用紙束隠蔽袋綴じ編集処理を行う（ステップ３）。
【００８０】
（３）  画像形成装置Ａによるコピーを開始する（ステップ４）。
（４）  画像形成装置Ａの排紙部７Ｄからコピー済みの用紙Ｓの全頁排出が確認されたら（ステップ５）、中折り処理装置ＦＳ１に導入された用紙Ｓを用紙載置台１６１の所定位置に停止させ、ミシン目形成手段１８を駆動してミシン目ａを形成させた後、中折り手段１９に排出する（ステップ６）。
【００８１】
（５）  中折り手段１９への最終用紙排出が完了した事が確認されると（ステップ７）、中折り手段１９において中折り処理が実施される（ステップ８）。
【００８２】
（６）  中折り処理済みの用紙束Ｓａは、袋綴じ処理装置ＦＳ２に導入され、用紙束Ｓａの後端部近傍に綴じ針ＳＰを打針する綴じ処理が実行される（ステップ９）。
【００８３】
（７）  綴じ処理済みの用紙束Ｓａは、断裁処理装置ＦＳ３に導入され、用紙束Ｓａの後端部近傍を断裁手段３２によって断裁され、揃えられた小口ｃが形成される（ステップ１０）。
【００８４】
（８）  断裁処理済みの用紙束Ｓａは、第２搬送手段３３によって搬送され、冊子収納手段３４に収容される（ステップ１１）。
【００８５】
［袋綴じする用紙と袋綴じなしの用紙との混合綴じ処理モードの制御］
図７（ａ）は、特定頁の画像内容を隠蔽して他人に見られないように画像面を内側にして折って袋綴じする「特定頁袋綴じ」処理される用紙束Ｓａの斜視図、図７（ｂ）は、用紙束Ｓａの断面図である。
【００８６】
図８は、袋綴じする用紙と袋綴じなしの用紙との混合綴じ処理モード（以下、袋綴じ挿入モードと称す）の制御を示すフローチャートである。
【００８７】
（１）  操作手段９において所望の条件を選択設定し、画像読取装置Ｂにより原稿を走査して画像を読み取らせる（ステップ１）。
【００８８】
（２）  原稿の全頁の走査が完了したら（ステップ２）、袋綴じ挿入モードの編集処理を行う（ステップ３）。
【００８９】
（３）  画像形成装置Ａによるコピーを開始する（ステップ４）。
（４）  画像形成装置Ａの排紙部７Ｄからコピー済みの用紙Ｓの全頁排出が確認され（ステップ５）、袋綴じ処理される用紙Ｓ１の排出が確認され（ステップ６）たら、中折り処理装置ＦＳ１に導入された用紙Ｓ１を用紙載置台１６１の所定位置に停止させ、ミシン目形成手段１８を駆動してミシン目ａを形成させた後、中折り手段１９に排出する（ステップ７）。
【００９０】
（５）  中折り手段１９において中折り処理が実行される（ステップ８）。
（６）  中折り処理済みの用紙束Ｓａは、袋綴じ処理装置ＦＳ２に導入される（ステップ９）。
【００９１】
（７）  袋綴じ処理装置ＦＳ２に、袋綴じされる用紙Ｓ１と袋綴じなしの用紙Ｓ２とのすべての用紙が排出完了すると（ステップ１０）、用紙Ｓ１と用紙Ｓ２とを重ね合わせて綴じ処理が実行される（ステップ１１）。
【００９２】
（８）  綴じ処理済みの用紙束Ｓａは、第２搬送手段３３によって搬送され、冊子収納手段３４に収容される（ステップ１２）。
【００９３】
［頁印刷］
図９（ａ）は袋綴じ処理された用紙束Ｓａのミシン目ｂを切り開いた状態の断面図、図９（ｂ）は斜視図、図９（ｃ）は袋綴じ処理された用紙束Ｓａを見開いた状態を示す斜視図である。
【００９４】
操作手段９において、頁印刷が設定されると、中折り処理装置ＦＳ１においてミシン目形成と中折りが実行されるのに先だって、画像形成装置Ａは、袋綴じ処理装置ＦＳ２において袋綴じされた用紙Ｓが開かれた場合を想定して、用紙Ｓにヘッダまたはフッタ等の頁印刷を行う（図４参照）。
【００９５】
即ち、中折り処理と袋綴じ処理により作製された用紙束Ｓａの１枚目の用紙Ｓ１の第１面を外側に向けてｐ１，ｐ８の頁印刷となるように、画像形成装置Ａによって印刷する。用紙Ｓ１の裏面側の第２面に、ｐ２，ｐ７の頁印刷をする。
【００９６】
更に、用紙Ｓ１の内側の２枚目の用紙Ｓ２の第１面に、ｐ３，ｐ６の頁印刷をする。用紙Ｓ２の裏面側の第２面に、ｐ４，ｐ５の頁印刷をする。
【００９７】
このようにして図示のように、２枚の用紙Ｓ１，Ｓ２を中折り処理と袋綴じ処理した８頁から成る用紙束Ｓａにｐ１〜ｐ８の頁印刷を行う。
【００９８】
図７に示す袋綴じする用紙と袋綴じなしの用紙との袋綴じ挿入モードにおいても、同様にして、画像形成装置Ａにより頁印刷を行う。
【００９９】
なお、本発明の実施の形態では、複写機に接続した後処理装置について説明したが、プリンタ、ファクシミリ、複合機、軽印刷機等の画像形成装置に接続して使用する後処理装置にも適用可能である。
【０１００】
【発明の効果】
以上の説明から明らかなように、本発明の用紙後処理方法、用紙後処理装置及び画像形成システムにより以下の効果が奏せられる。
【０１０１】
（１）  冊子全体に形成された画像を他人に見られないようにする「冊子隠蔽綴じ」や、特定頁の画像内容を隠蔽して他人に見られないように画像面を内側にして折って袋綴じする「特定頁袋綴じ」を、両面印刷用紙で実行可能な新たなプリントモード、用紙折り機能、及び綴じ機能を設定可能にする用紙後処理装置が提供される。
【０１０２】
（２）  袋綴じされて画像面が隠蔽された冊子を、必要に応じて容易に切開して、内側の画像面を見開きする事が可能になる。
【０１０３】
（３）  冊子全体を中折り処理して袋綴じした場合に、綴じ処理側の冊子側端部の小口を断裁手段によって断裁する事により用紙不揃いが解消される。特に、多数枚から成る用紙を中折り処理したときに冊子の側端部に発生する著しい小口不揃いが解消される。
【図面の簡単な説明】
【図１】画像形成装置、画像読取装置、及び折り処理装置と綴じ処理装置と断裁処理装置から成る用紙後処理装置から構成された画像形成システムの全体構成図。
【図２】折り処理装置、綴じ処理装置、断裁処理装置から成る用紙後処理装置の構成図。
【図３】ミシン目形成手段と、ミシン目が形成された用紙Ｓの斜視図。
【図４】冊子隠蔽綴じの処理がされる用紙の工程を示す斜視図、及び断面図。
【図５】画像形成システムのブロック図。
【図６】用紙束隠蔽袋綴じモードの制御を示すフローチャート。
【図７】特定頁の画像内容を隠蔽して他人に見られないように画像面を内側にして折って袋綴じする特定頁袋綴じ処理される用紙束の斜視図、断面図。
【図８】袋綴じ挿入モードの制御を示すフローチャート。
【図９】袋綴じ処理された用紙束のミシン両開きに見開いた状態を示す斜視図。
【符号の説明】
９  操作手段
１０  中折り部搬送手段
１６  用紙収納手段
１７  第１綴じ手段
１８  ミシン目形成手段
１９  中折り手段
２０  袋綴じ部搬送手段
２１  搬送ベルト
２２  突き当て部材
２３  第２綴じ手段
３０  断裁部搬送手段
３１  第１搬送手段
３２  断裁手段
３３  第２搬送手段
３３２  搬送ベルト
３４  冊子収納手段
Ａ  画像形成装置
ＦＳ  用紙後処理装置
ＦＳ１  中折り処理装置
ＦＳ２  袋綴じ処理装置
ＦＳ３  断裁処理装置
Ｓ，Ｓ１，Ｓ２  用紙
Ｓａ  用紙束
ＳＰ  綴じ針
ａ  ミシン目
ｂ  折り目
ｃ  小口
ｐ１〜ｐ８  頁印刷
【図１】
2004284750.tif 000003
【図２】
2004284750.tif 000004
【図３】
2004284750.tif 000005
【図４】
2004284750.tif 000006
【図５】
2004284750.tif 000007
【図６】
2004284750.tif 000008
【図７】
2004284750.tif 000009
【図８】
2004284750.tif 000010
【図９】
2004284750.tif 000011